(57)【要約】    【課題】  作業者に大きな負担をかけることなく、短い時間で目詰まりを確実に減少させ解消できるフィルターの清掃機器を提供する。    【解決手段】  濾過機能を有する複数枚のプレートを積層しかつプレートの折り曲げ部によってプレートの相互の間隔を保持してなる構造のフィルターを清掃するにあたり、エアーが供給される密閉空間が形成されるとともに、密閉空間内に軸受が内蔵されたベースと、一端部がベースの軸受に回転自在に支持され、他端部分がベースから外方に延びる回転軸、回転軸の外周に取付けられ、フィルターの隣接するプレート間に挿入され、回転することによってフィルターのプレートに付着した粉塵を掻き落とすブラシと、回転軸に設けられ、密閉空間内に挿入された回転軸から周囲にエアーを吐出させるノズルを有するエアー吐出通路と、を備える。【選択図】  図１
2008062171.tif 000002
【特許請求の範囲】
【請求項１】
濾過機能を有する複数枚のプレートを積層しかつプレートの折り曲げ部によってプレートの相互の間隔を保持してなる構造のフィルターを清掃する清掃機器において、
エアーが供給される密閉空間が形成されるとともに、該密閉空間内に軸受が内蔵されたベースと、
一端部が上記ベースの軸受に回転自在に支持され、他端部分が上記ベースから外方に延びる回転軸と、
該回転軸の外周に取付けられ、上記フィルターの隣接するプレート間に挿入され、回転することによって上記フィルターのプレートに付着した粉塵を掻き落とすブラシと、
上記回転軸に設けられ、上記密閉空間内に挿入された回転軸から周囲にエアーを吐出させるノズルを有するエアー吐出通路と、
を備えたことを特徴とするフィルターの清掃機器。
【請求項２】
上記エアー吐出通路が上記回転軸の内部に穿設されるとともに上記ベースの密閉空間内の部分に開口されるとともに、上記回転軸にはノズルが上記エアー吐出通路に連通して形成されている請求項１記載のフィルターの清掃機器。
【請求項３】
上記回転軸の先端にはプラスチック製ドリルが取付けられている請求項１記載のフィルターの清掃機器。
【発明の詳細な説明】
【技術分野】
【０００１】
この発明はフィルターの清掃機器に関し、特に作業者に大きな負担をかけることなく、短い時間で目詰まりを確実に減少させ解消できるようにした機器に関する。
【背景技術】
【０００２】
例えば、火力発電所における重要な施設の１つに脱硝装置がある。この脱硝装置は触媒を担持した複数枚のパンチングメタル製のプレートを積層し、プレートの折り曲げ部によって相互の間隔を保持してフィルターを構成し、このフィルター装置本体に内蔵し、発電所から排出される排ガスをフィルター内に導入して排ガスに含まれるアンモニアなどの窒素酸化物を除去することが行われる。しかし、この種のフィルターでは運転時間がある程度長くなるとフィルターに目詰まりが発生して処理効率が低下する。
【０００３】
従来、作業者がプレートの間にブラシを差し込んで手作業で清掃するか、あるいはノズルなどによってフィルターにエアーを吹き付け、目詰まりを減少させ解消することが行われている（特許文献１、特許文献２）。
【０００４】
【特許文献１】特開平０７−３１８０４０号公報
【特許文献２】特開平０７−１１６４４０号公報
【発明の開示】
【発明が解決しようとする課題】
【０００５】
しかし、フィルターには粉塵などが強固に付着していることが多く、手作業によるブラッシングでは作業者の負担が大きい。また、手作業によるブラッシングやエアーブローによる方法では目詰まりを解消するのに時間がかかるという問題があった。
【０００６】
本発明はかかる問題点に鑑み、作業者に大きな負担をかけることなく、短時間でフィルターの目詰まりを減少させ解消できるようにしたフィルターの清掃機器を提供することを課題とする。
【課題を解決するための手段】
【０００７】
本発明に係るフィルターの清掃機器は、濾過機能を有する複数枚のプレートを積層しかつプレートの折り曲げ部によってプレートの相互の間隔を保持してなる構造のフィルターを清掃する清掃機器において、エアーが供給される密閉空間が形成されるとともに、該密閉空間内に軸受が内蔵されたベースと、一端部が上記ベースの軸受に回転自在に支持され、他端部分が上記ベースから外方に延びる回転軸と、該回転軸に取付けられ、上記フィルターの隣接するプレート間に挿入され、回転することによって上記フィルターのプレートに付着した粉塵を掻き落とすブラシと、上記ベースの密閉空間内にエアーを供給するエアー供給通路と、上記回転軸に設けられ、上記密閉空間内に挿入された回転軸から周囲にエアーを吐出させるノズルを有するエアー吐出通路と、を備えたことを特徴とする。
【０００８】
本発明の特徴の１つは回転ブラシとエアーブローとを組み合わせた点にある。これにより、フィルターに強固に付着した粉塵を回転するブラシで掻き落とし、回転軸周囲へのエアーブローによって掻き落とした粉塵を吹き飛ばすことができ、フィルターの目詰まりを短時間で確実に減少させ解消することができる。
【０００９】
回転軸の駆動方法は特に限定されず、ベースに駆動モータを搭載して回転軸を駆動してもよく、又回転軸にインペラーを取付け、インペラーに高圧エアーを吹き付けて回転軸を回転させることもできる。
【００１０】
エアー吐出通路はホース又はパイプを回転軸に沿わせ、回転軸とともに回転させ又は回転しないように固定し、エアー吐出通路内のエアーをノズルから吐出させるようにしてもよいが、構造が複雑になるおそれがある。そこで、エアー吐出通路を回転軸の内部に穿設するとともにベースの密閉空間内の部分に開口させ、回転軸にはノズルをエアー吐出通路に連通して形成するようにするのがよい。
【００１１】
ノズルの数は１つでもよく、回転軸の中心軸線の方向に間隔をあけて設けるようにしてもよい。また、ベース、軸受、回転軸、ブラシ、エアー吐出通路の材料は特に限定されず、金属材料やプラスチック材料を用いることができる。
【００１２】
また、フィルターには粉塵が非常に強固に固着している場合にはブラシの回転とエアーブローだけでは粉塵を除去しきれないおそれがある。そこで、回転軸の先端にはプラスチック製ドリルを取付け、強固に固着した粉塵の塊を破壊するようにするのがよい。但し、ドリルによってフィルターが損傷を受けると好ましくないので、プラスチック製のドリルを用いるのがよい。
【発明を実施するための最良の形態】
【００１３】
以下、本発明を図面に示す具体例に基づいて詳細に説明する。図１ないし図４は本発明に係るフィルターの清掃機器の好ましい実施形態を示す。図において、ベース１０には作業者が握ることのできるハンドル１１が固定され、ベース１０は内部に密閉空間１０Ａが形成され、密閉空間１０Ａ内には複数、例えば５０の軸受１２が間隔をあけて取付けられ、軸受１２には回転軸１３の一端部が回転自在に支持され、回転軸１３には伝達プーリ１４が取付けられている。
【００１４】
この回転軸１３はパイプ１３Ａの先端にロッド１３Ｂを嵌入して構成され、ロッド１３Ｂの外周にはらせん状のブラシ１５が取付けられ、ロッド１３Ｂの先端にはプラスチック製のドリル１６が固定されている。
【００１５】
また、ベース１０の中央には駆動モータ１７が取付けられ、中央の軸受１２には駆動モータ１７の回転軸１７Ａが回転自在に支承され、回転軸１７Ａには駆動プーリ１８が取付けられ、駆動プーリ１８と伝達プーリ１４とはベルト１９によって接続されている。
【００１６】
回転軸１３のパイプ１３Ａの内部はエアー吐出通路となっており、又回転軸１３の一端部には開口１３Ｃが穿設され、開口１３Ｃはエアー吐出通路と連通され、パイプ１３Ａの先端にはノズル（図示せず）が形成され、ノズルはエアー吐出通路に連通されている。
【００１７】
また、ベース１０にはエアーパイプ（エアー供給通路）２０が接続され、エアーパイプ２０は適当なエアー供給源に接続されるようになっている。
【００１８】
本例の清掃機器が用いられるフィルター３０は本体部分が触媒を担持したパンチングメタル製の複数のプレート３１を積層し、プレート３１の折り曲げ部３２によってプレート３１間を相互に所定の間隔に保持した構造をなし、この本体部分をケース３３に内蔵して構成されている。
【００１９】
フィルター３０に目詰まりが発生した場合、本例の清掃器具のブラシ１５をフィルター３０のプレート３１の間に差し込み、駆動モータ１７を作動させるとともに、ベース１０内にエアーを供給する。
【００２０】
すると、駆動モータ１７の回転力が駆動プーリ１８、ベルト１９及び伝達プーリ１４を経て回転軸１３に伝えられ、これによってブラシ１５が回転し、プレート３１に付着した粉塵は回転するブラシ１３によって掻き落とされる。
【００２１】
同時に、ベース１０の密閉空間１０Ａ内にはエアーが供給され、エアーは開口１３Ｃから回転軸１３のパイプ１３Ａ内に導入され、パイプ１３Ａの先端のノズルから下方に吐出され、上記掻き落とされた粉塵はエアーによって吹き飛ばされ、これによってフィルター３０の目詰まりが減少され解消されることとなる。
【００２２】
フィルター３０のプレート３１に固着した粉塵が固い場合、回転軸１３の先端のドリル１６を粉塵の塊に押しつけると、粉塵の塊を破壊することができ、後は上記と同様にブラシ１５の回転とエアーブローとによって目詰まりを減少させ解消すればよい。
【図面の簡単な説明】
【００２３】
【図１】本発明に係るフィルターの清掃機器の好ましい実施形態を示す構成図である。
【図２】上記実施形態における回転軸１３の開口を示す図である。
【図３】上記実施形態によって清掃されるフィルターを示す概略略図である。
【図４】上記フィルターの構造を示す図である。
【符号の説明】
【００２４】
１０      ベース
１０Ａ    密閉空間
１２      軸受
１３      回転軸
１３Ａ    パイプ（エアー吐出通路）
１３Ｂ    ロッド
１４      伝達プーリ
１５      ブラシ
１６      プラスチック製ドリル
１７      駆動モータ
１８      駆動プーリ
１９      ベルト
２０      エアーパイプ（エアー供給通路）
３０      フィルター
３１      プレート
３２      折り曲げ部
【図１】
2008062171.tif 000003
【図２】
2008062171.tif 000004
【図３】
2008062171.tif 000005
【図４】
2008062171.tif 000006